(57)【要約】【課題】従来のＡＣアダプタは電源コンセントに接続している限り、ＡＣアダプタに接続された機器が使用していなくても、待機電力を消費していた。また、ＡＣアダプタに差込コンセントを設けた場合、待機電力をなくすためにＡＣアダプタ自体を電源コンセントから取り外すと差込コンセントに差し込まれた装置の電源まで切ってしまうことになり不便であった。【解決手段】電源コンセントに接続する差込プラグ１と、交流電圧を直流電圧に変換するＡＣ／ＤＣ変換回路４とを備えたＡＣアダプタに、差込プラグ１からの電力を出力するサービスコンセント６と、差込プラグ１からサービスコンセント６への電力を供給又は遮断するスイッチ部３を設ける。スイッチ部３により未使用時の電力供給を遮断して待機電力消費を無くし、省エネ効果を得ることができる。【選択図】  図１
2004186019.tif 000002
【特許請求の範囲】
【請求項１】
電源に接続する差込プラグと、
前記差込プラグから入力する交流電圧を直流電圧に変換するＡＣ／ＤＣ変換回路と、
前記ＡＣ／ＤＣ変換回路によって変換された直流電圧を出力するＤＣ出力部と、前記差込プラグからの電力を出力するサービスコンセントと、
前記差込プラグから前記サービスコンセントへの電力を供給又は遮断するスイッチ部と
を備えたことを特徴とするＡＣアダプタ。
【請求項２】
電源に接続する差込プラグと、
前記差込プラグから入力する交流電圧を直流電圧に変換するＡＣ／ＤＣ変換回路と、
前記ＡＣ／ＤＣ変換回路によって変換された直流電圧を出力するＤＣ出力部と、前記差込プラグからの電力を出力するサービスコンセントと、
前記差込プラグから前記サービスコンセントと前記ＡＣ／ＤＣ変換回路への電力の供給を切り換えるスイッチ部と
を備えたことを特徴とするＡＣアダプタ。
【請求項３】
前記スイッチ部として、
差込プラグからＡＣ／ＤＣ変換回路及びサービスコンセントへの電力供給が遮断される状態、
差込プラグからＡＣ／ＤＣ変換回路及びサービスコンセントへの電力が供給される状態、
差込プラグからＡＣ／ＤＣ変換回路へは電力が供給され、サービスコンセントへの電力供給が遮断される状態、
差込プラグからＡＣ／ＤＣ変換回路への電力供給は遮断され、サービスコンセントへは電力が供給される状態、
の４つの状態のうち、少なくともいずれか２つの状態を切り替えることができるようなスイッチ部
を備えたことを特徴とする請求項１または２記載のＡＣアダプタ。
【請求項４】
前記差込プラグにおける入力電圧や前記ＡＣ／ＤＣ変換回路の出力電圧を測定する電圧測定部と、
表示部と、
前記電圧測定部の測定結果である電圧値を前記表示部に表示させる制御を行う制御部と
を有することを特徴とする請求項１または２記載のＡＣアダプタ。
【請求項５】
前記制御部は、ＡＣアダプタの定格電圧と、前記ＤＣ出力部や前記サービスコンセントが無負荷の場合の電圧値とを前記表示部に表示させることを特徴とする請求項４記載のＡＣアダプタ。
【請求項６】
前記差込プラグの一対の刃と平行で、前記差込プラグに対して所定の距離だけ離れた位置に立設された支持プラグを有し、前記支持プラグはＡＣアダプタ内の他の回路から絶縁され、前記差込プラグが差込口に差込まれると同時に他の差込口に差込まれること
を特徴とする請求項１または２記載のＡＣアダプタ。
【請求項７】
前記支持プラグは略Ｕ字状であり、内側に差込部材を挿入することによって押し広げられること
を特徴とする請求項６記載のＡＣアダプタ。
【請求項８】
前記差込プラグと前記支持プラグとの間隔を変えることが可能なスライド機構を備えたこと
を特徴とする請求項６記載のＡＣアダプタ。
【発明の詳細な説明】
【０００１】
【発明の属する技術分野】
本発明は、コンセントやマルチタップ等の電源器具に差込んで使用するＡＣアダプタに関するものである。
【０００２】
【従来の技術】
近年、パソコンやその周辺機器などの使用の増加に伴い、ＡＣアダプタの使用が増えている。ＡＣアダプタを複数の差込口を有する電源器具に差込んで使用する場合、ＡＣアダプタが大きいと、ＡＣアダプタを差し込んだ差込口に隣接する差込口はＡＣアダプタによって塞がれ、使用できなくなる場合がある。
【０００３】
そこで、ＡＣアダプタにサービスコンセントとして一個以上のコンセントを設けたＡＣアダプタが考えられている（例えば、特許文献１、特許文献２参照。）。
【０００４】
【特許文献１】
特開平１１−３１５６５号公報
【特許文献２】
実開平０２−２４４７４号公報
【０００５】
【発明が解決しようとする課題】
昨今、省エネ要求が高まり、電気機器の未使用時の電力供給を遮断して、待機電力消費を無くす事が望まれている。ＡＣアダプタ自体もわずかながら待機電力を消費し、また上記のような従来のＡＣアダプタに追加されたサービスコンセントは、差込プラグに直結されている為に常時導通しており、このコンセントに接続された機器によっては比較的大きな待機電力を消費する場合があり得る。
【０００６】
本発明は上記のような課題を解決し、ＡＣアダプタのサービスコンセントに接続された負荷の接続と遮断を可能にすることで、省エネ効果を得ることができるＡＣアダプタを提供することを目的とする。
【０００７】
【課題を解決するための手段】
上記課題を解決するために本発明は、電源に接続する差込プラグと、差込プラグから入力する交流電圧を直流電圧に変換するＡＣ／ＤＣ変換回路と、ＡＣ／ＤＣ変換回路によって変換された直流電圧を出力するＤＣ出力部と、差込プラグからの電力を出力するサービスコンセントと、差込プラグからサービスコンセントへの電力を供給又は遮断するスイッチ部とを備えている。
【０００８】
これにより、ＡＣアダプタのサービスコンセントに接続された負荷の接続と遮断が可能となり、省エネに役立つＡＣアダプタを得ることができる。
【０００９】
【発明の実施の形態】
本発明の請求項１に記載のＡＣアダプタは、電源に接続する差込プラグと、差込プラグから入力する交流電圧を直流電圧に変換するＡＣ／ＤＣ変換回路と、ＡＣ／ＤＣ変換回路によって変換された直流電圧を出力するＤＣ出力部と、差込プラグからの電力を出力するサービスコンセントと、差込プラグからサービスコンセントへの電力を供給又は遮断するスイッチ部とを備えている。
【００１０】
この構成により、ＡＣアダプタのサービスコンセントに接続された負荷の接続と遮断が可能となる。
【００１１】
本発明の請求項２に記載のＡＣアダプタは、電源に接続する差込プラグと、差込プラグから入力する交流電圧を直流電圧に変換するＡＣ／ＤＣ変換回路と、ＡＣ／ＤＣ変換回路によって変換された直流電圧を出力するＤＣ出力部と、差込プラグからの電力を出力するサービスコンセントと、差込プラグからサービスコンセントとＡＣ／ＤＣ変換回路への電力の供給を切り換えるスイッチ部とを備えている。
【００１２】
この構成により、サービスコンセントに接続された負荷だけでなく、ＡＣアダプタに備わったＡＣ／ＤＣ変換回路への電力も供給又は遮断することができる。
【００１３】
本発明の請求項３に記載のＡＣアダプタは、スイッチ部として、差込プラグからＡＣ／ＤＣ変換回路及びサービスコンセントへの電力供給が遮断される状態、差込プラグからＡＣ／ＤＣ変換回路及びサービスコンセントへの電力が供給される状態、差込プラグからＡＣ／ＤＣ変換回路へは電力が供給され、サービスコンセントへの電力供給が遮断される状態、差込プラグからＡＣ／ＤＣ変換回路への電力供給は遮断され、サービスコンセントへは電力が供給される状態の４つの状態のうち、少なくともいずれか２つの状態を切り替えることができるようなスイッチ部を備えている。
【００１４】
この構成により、サービスコンセントに接続された負荷やＡＣ／ＤＣ変換回路への電力を任意に供給又は遮断することができる。
【００１５】
本発明の請求項４に記載のＡＣアダプタは、差込プラグにおける入力電圧やＡＣ／ＤＣ変換回路の出力電圧を測定する電圧測定部と、表示部と、電圧測定部の測定結果である電圧値を表示部に表示させる制御を行う制御部とを備えている。
【００１６】
この構成により、わざわざ一般の電圧計を接続しなくとも電源電圧値や出力電圧値を確認することができる。
【００１７】
本発明の請求項５に記載のＡＣアダプタは、ＡＣアダプタの定格電圧と、ＤＣ出力部やサービスコンセントが無負荷の場合の電圧値とを表示部に表示させる制御部を備えている。
【００１８】
この構成により、入力電圧や無負荷時の電圧が正常であるかどうかを知ることができる。
【００１９】
本発明の請求項６に記載のＡＣアダプタは、差込プラグの一対の刃と平行で、差込プラグに対して所定の距離だけ離れた位置に立設され、ＡＣアダプタ内の他の回路から絶縁された支持プラグを備えている。
【００２０】
この構成により、差込プラグが差込口に差込まれると同時に支持プラグを他の差込口に差込むことができるので、電源器具から脱落しにくい作用を有する。また、支持プラグが差込口に差込まれず、触れることのできる位置に露出していても、支持プラグはＡＣアダプタ内の他の回路から絶縁されているので、誤って触れてしまっても感電する危険性はない。
【００２１】
本発明の請求項７に記載のＡＣアダプタは、略Ｕ字状で内側に差込部材を挿入することによって押し広げられる支持プラグを備えている。
【００２２】
この構成により、差込プラグを差込口に差込むと同時に支持プラグを他の差込口に差込んだ状態で、略Ｕ字状の支持プラグの内側に差込部材を押し込むと、支持プラグは差込部材によって差込口内で押し広げられるので、支持プラグを差込口にただ差込むのみの前記ＡＣアダプタより、電源器具からさらに脱落しにくい作用を有する。
【００２３】
本発明の請求項８に記載のＡＣアダプタは、差込プラグと支持プラグとの間隔を変えることが可能なスライド機構を備えている。
【００２４】
この構成により、差込口同士の間隔が異なる様々な電源器具に対して、本発明のＡＣアダプタを差込んで用いることができる。
【００２５】
以下、本発明の実施の形態について、図１から図８を用いて説明する。
【００２６】
（実施の形態１）
図１は、本発明の実施の形態１によるＡＣアダプタを示すブロック図、図２は、本発明の実施の形態１によるＡＣアダプタの斜視図を示す。
【００２７】
図１において、１は電源器具（図示せず）から電力の供給を受けるための一対の平行金属板（以下、刃と呼ぶ）で構成される差込プラグである。２は差込プラグ１に接続され、電源から供給される電力のノイズを除去するノイズフィルタや、許容電流を超える電流が入力された場合に後述のＡＣ／ＤＣ変換回路４などの内部回路を電源から切断するヒューズを備えたフィルタ部である。３は２回路４接点スイッチから構成され、後述のＡＣ／ＤＣ変換回路４やサービスコンセント６に対し、差込プラグ１から供給される電力の供給及び遮断を行うスイッチ部である。４はスイッチ部３に接続され、スイッチ部３を介して送られてくる電源の交流電圧を直流電圧に変換するＡＣ／ＤＣ変換回路である。５はＡＣ／ＤＣ変換回路４に接続され、ＡＣ／ＤＣ変換回路４で変換された直流電圧を出力するＤＣ出力部であり、２線のケーブル及び機器に接続するためのコネクタ部（図示せず）を備えている。６はスイッチ部３に接続され、差込プラグ１から供給される電力をスイッチ部３を介して出力するサービスコンセントである。このサービスコンセント６は、差込プラグ１と同型のプラグを機械的及び電気的に接続可能なように構成される。
【００２８】
７は差込プラグ１の両端の電圧値や各回路の出力電圧値を測定する電圧測定回路である。１２は電圧測定回路７と後述の表示部１３の制御を司る制御部、１３は電圧測定回路７の測定結果を表示する表示部、１４は電圧測定の制御や表示を行うための電力を供給する電池電源部である。
【００２９】
図２において、１１は回転させることによって電力供給回路を切り換える２回路４接点スイッチのダイヤルである。２回路４接点スイッチのダイヤル１１を回転させることによって図１の可動接触子８，９は連動して切り替わり、接点Ｉ，ＩＩ，ＩＩＩ，ＩＶのなかの一つと接触する。接点Ｉは未接続である。接点ＩＩはＡＣ／ＤＣ変換回路４とサービスコンセント６の両方に接続され、接点ＩＩＩはＡＣ／ＤＣ変換回路４のみと接続され、接点ＩＶはサービスコンセント６のみと接続されている。なお、２回路４接点スイッチは、図２に示したようにロータリースイッチを用いているが、２連のプッシュスイッチとしてもよい。この２連のプッシュスイッチは、２つのスイッチ部から構成され、１つのスイッチでＡＣ／ＤＣ変換回路４への電力供給のＯＮ／ＯＦＦを、もう１つのスイッチでサービスコンセント６への電力供給のＯＮ／ＯＦＦを行うものである。
【００３０】
以上のように構成される本実施の形態１のＡＣアダプタについて、以下その機能を説明する。なお、可動接触子８，９がどの接点と接触するかに応じて、電源から供給される電力のルートが異なるため各々説明する。
【００３１】
図１において、可動接触子８，９を接点Ｉと接触させた場合（図２においてスイッチを「ＯＦＦ」にする）、電源側からＡＣ／ＤＣ変換回路４への回路と、サービスコンセント６への回路は両方とも切断された状態になるので、差込プラグ１からＡＣ／ＤＣ変換回路４とサービスコンセント６への電力供給は遮断される。
【００３２】
従って、ＡＣアダプタを電源に接続している状態においても、ＡＣ／ＤＣ変換回路４や、サービスコンセント６に接続された機器に対する電力供給が遮断されることになり、ＡＣ／ＤＣ変換回路４やサービスコンセント６に接続された機器の待機電力消費が無くなる。
【００３３】
このため、ＤＣ出力部５やサービスコンセント６に接続した機器を両方とも使用しない場合には、スイッチを単に「ＯＦＦ」に切り替えるという極めて簡単な操作だけで、別途電力供給をＯＮ／ＯＦＦできるテーブルタップなどの電源器具を設けることなく、電源からの電力消費を無くすことができる。
【００３４】
可動接触子８，９を接点ＩＩと接触させた場合（図２においてスイッチを「ＡＣ＆ＤＣ」にする）、端子ＡＢ、端子ＣＤの両方に電源側からの電圧が現れ、電源側からＡＣ／ＤＣ変換回路４への回路と、サービスコンセント６への回路は両方とも接続された状態になり、差込プラグ１からＡＣ／ＤＣ変換回路４とサービスコンセント６へ電力が供給される。
【００３５】
従って、スイッチを単に「ＡＣ＆ＤＣ」に切り替えるという極めて簡単な操作で、ＤＣ出力部５とサービスコンセント６に接続した機器を両方とも使用可能な状態にすることができる。
【００３６】
可動接触子８，９を接点ＩＩＩと接触させた場合（図２においてスイッチを「ＤＣ」にする）、端子ＡＢに電源側からの電圧が現れ、電源側からＡＣ／ＤＣ変換回路４への回路は接続された状態になり、サービスコンセント６への回路は切断された状態になるので、差込プラグ１からＡＣ／ＤＣ変換回路４へのみ電力が供給され、サービスコンセント６への電力供給は遮断される。
【００３７】
従って、ＡＣアダプタを電源に接続している状態においても、サービスコンセント６に接続された機器に対する電力供給が遮断されることになり、待機電力の消費が無くなる。
【００３８】
このため、ＤＣ出力部５に接続した機器のみを使用し、サービスコンセント６に接続した機器を使用しない場合には、スイッチを単に「ＤＣ」に切り替えるだけで、サービスコンセント６の電力消費を無くすことができるＡＣアダプタを提供することが可能となる。
【００３９】
可動接触子８，９を接点ＩＶと接触させた場合（図２においてスイッチを「ＡＣ」にする）、端子ＣＤに電源側からの電圧が現れ、電源側からサービスコンセント６への回路は接続された状態になり、ＡＣ／ＤＣ変換回路４への回路は切断された状態になるので、差込プラグ１からＡＣ／ＤＣ変換回路４への電力供給は遮断され、サービスコンセント６へのみ電力が供給される。
【００４０】
従って、ＡＣアダプタを電源に接続している状態においても、ＡＣ／ＤＣ変換回路４やＤＣ出力部５に接続された機器に対して電力供給が遮断されることになり、待機電力が無くなる。
【００４１】
このため、ＤＣ出力部５に接続した機器を使用しない場合にも、スイッチを単に「ＡＣ」に切り替えるという極めて簡単な操作だけで、わざわざＡＣアダプタを電源器具から引き抜かなくとも、ＤＣ出力部５からの電力消費を無くすことができ、またサービスコンセント６をヒューズを備えた電源として用いることが可能となる。
【００４２】
次に、電圧測定の機能について説明する。電圧測定回路７は、差込プラグ１後段でフィルタ部２前段の点ａ、フィルタ部２後段でスイッチ部３前段の点ｂ、スイッチ部３後段でサービスコンセント６前段の点ｃ、ＡＣ／ＤＣ変換回路４後段でＤＣ出力部５前段の点ｄの各々の点に接続されており、各々の点において電圧を測定可能である。なお、点ａの交流電圧を交流電圧Ｖａ、点ｂの交流電圧を交流電圧Ｖｂ、点ｃの交流電圧を交流電圧Ｖｃ、点ｄの直流電圧を直流電圧Ｖｄとする。交流電圧Ｖａは差込プラグ１からＡＣアダプタへ加えられる交流入力電圧、交流電圧Ｖｃはサービスコンセント６から出力される交流出力電圧、直流電圧ＶｄはＤＣ出力部５からの直流出力電圧となる。
【００４３】
電圧測定の結果は、制御部１２で読み込まれ、例えば次のように表示部１３に表示される。この表示部１３には、
（１）点ａの交流電圧Ｖａとその状態
（例  「入力電圧ＡＣ１０１．５Ｖ  正常」）、
（２）点ｂの交流電圧Ｖｂとその状態
（例  「フィルタ後電圧ＡＣ１００．３Ｖ  正常」）、
（３）点ｃの交流電圧Ｖｃとその状態
（例  「サービスコンセント出力電圧ＡＣ９９．７Ｖ  正常」）、
（４）点ｄの直流電圧Ｖｄとその状態
（例  「ＤＣ出力電圧ＤＣ１３．８Ｖ  正常」）、
（５）電圧Ｖａと電圧Ｖｂの電位差から判断するヒューズの状態
（例  「フィルタ・ヒューズ異常」）、
（６）電圧Ｖｂと電圧Ｖｃの電位差から判断するスイッチの状態
（例  「スイッチ正常」）、
（７）スイッチの切替状態
（例  「ＤＣ  ＯＮ」「ＡＬＬ  ＯＦＦ」「サービスコンセント  ＯＮ」）、
（８）ＡＣアダプタの定格電力
（例  「定格入力電圧ＡＣ９０〜１１０Ｖ」）
が表示される。
【００４４】
但し、表示部１３は、大きさの制限があり、すべてを表示することができないため、本実施の形態では（１）〜（８）のすべてを一度に表示するのではなく、表示切替ボタン２１を１回押す（３秒以内）ごとに表示を（１）から（８）へ順次切り替えるように構成している。（８）の表示の段階で、もう１回表示切替ボタン２１を押す（３秒以内）と再び最初の（１）の表示の状態にもどる。なお、表示切替ボタン２１を３秒以上長押しすると、電圧測定回路７、制御部１２、表示部１３、電池電源部１４からなる電圧測定機能がＯＮ／ＯＦＦされる。電圧測定機能が使用可能になっており、（１）〜（８）のいずれかを表示している状態において、異常状態を検出した場合には、その異常状態表示に自動的に切り替え、利用者が異常状態を察知しやすいようにする。更に異常状態表示時には目に付きやすい赤のバックライトを点灯し、利用者が異常状態を更に察知しやすいようにする。
【００４５】
ここで、（１）〜（６）の異常状態を検出するための動作について説明する。
【００４６】
表示モード（１）において制御部１２は、電圧測定回路７に電圧Ｖａ、すなわちＡＣアダプタの交流入力電圧を測定させ、測定された結果を読み込む。制御部１２は、あらかじめＡＣアダプタの定格入力電圧を記憶しており、ＡＣアダプタの交流入力電圧の測定値と、記憶している定格電圧とを比較し、測定値が定格電圧の範囲内にあるかどうかを判断する。
【００４７】
表示モード（２）において制御部１２は、電圧測定回路７に電圧Ｖｂ、すなわちフィルタ後の交流電圧を測定させ、測定された結果を読み込む。制御部１２は、フィルタ後における規定した許容電圧をあらかじめ記憶しており、フィルタ後の交流電圧の測定値と、記憶している許容電圧とを比較し、測定値が許容電圧の範囲内にあるかどうかを判断する。
【００４８】
表示モード（３）において制御部１２は、電圧測定回路７に電圧Ｖｃ、すなわちＡＣアダプタの交流出力電圧を測定させ、測定された結果を読み込む。また、制御部１２は、サービスコンセント６における規定した許容電圧をあらかじめ記憶している。スイッチが「ＡＣ＆ＤＣ」または「ＡＣ」にある場合は、ＡＣアダプタの交流出力電圧の測定値と、記憶している許容電圧とを比較し、測定値が許容電圧の範囲内にあるかどうかを判断する。スイッチが「ＯＦＦ」または「ＤＣ」にある場合は、フィルタ部２からサービスコンセント６への回路は遮断されているので、電圧Ｖｃの測定値が０Ｖでない場合を異常状態と判断する。
【００４９】
表示モード（４）において制御部１２は、電圧測定回路７に電圧Ｖｄ、すなわちＡＣアダプタの直流出力電圧を測定させ、測定された結果を読み込む。制御部１２は、あらかじめＡＣアダプタの定格出力電圧を記憶している。スイッチが「ＡＣ＆ＤＣ」または「ＤＣ」にある場合は、ＡＣアダプタの直流出力電圧の測定値と、記憶している定格電圧とを比較し、測定値が定格電圧の範囲内にあるかどうかを判断する。スイッチが「ＯＦＦ」または「ＡＣ」にある場合は、フィルタ部２からＡＣ／ＤＣ変換回路４への回路は遮断されているので、電圧Ｖｄの測定値が０Ｖでない場合を異常状態と判断する。
【００５０】
表示モード（５）において制御部１２は、電圧測定回路７に電圧Ｖａと電圧Ｖｂ、すなわちＡＣアダプタの交流入力電圧とフィルタ後の交流電圧を測定させ、測定された結果を読み込む。そして、読み込んだ交流入力電圧とフィルタ後交流電圧とを比較する。電圧Ｖａが１００Ｖ周辺の値を示し、電圧Ｖｂが０Ｖとなっていれば、フィルタ異常であり、特にヒューズが回路を遮断していることが考えられる。
【００５１】
表示モード（６）において制御部１２は、電圧測定回路７に電圧Ｖｂと電圧Ｖｃ、すなわちスイッチの前後の交流電圧を測定させ、測定された結果を読み込む。そして、読み込んだスイッチの前後の交流電圧を比較する。スイッチが「ＡＣ＆ＤＣ」または「ＡＣ」にある場合に電圧Ｖｂが１００Ｖ周辺の値を示し、電圧Ｖｃが０Ｖとなっていれば、これは異常状態であり、スイッチが故障していることが考えられる。スイッチが「ＯＦＦ」または「ＤＣ」にある場合は、フィルタ部２からサービスコンセント６への回路は遮断されているはずであるので、電圧Ｖｃの測定値が０Ｖでない場合を異常状態と判断する。
【００５２】
なお、以上の説明では、電圧測定の制御や表示を行うために電力を供給する電源を電池電源部１４で構成したが、ＡＣアダプタ内のＡＣ／ＤＣ変換回路４後、ＤＣ出力部５前の回路から電力供給を受けるように構成することも同様に実施可能である。
【００５３】
（実施の形態２）
図３、図４、図５は、本発明の実施の形態２によるＡＣアダプタで、図３は斜視図、図４は左側面図を示す。図５は支持プラグの機構を表す図４のＶ−Ｖ断面図で、（ａ）は固定具が上がった状態の断面図、（ｂ）は固定具が下がった状態の断面図を示す。
【００５４】
図３、図４に示すように、このＡＣアダプタの内部は、固定具を有する支持プラグの機構を除いて本発明の実施の形態１に記載のものと同じである。図４、図５において、１５は差込口に差込む差込プラグ１の隣に、差込プラグ１の一対の金属刃と平行で、この刃に対して所定の距離だけ離れた位置に立設され、差込プラグ１が差込口に差込まれるのと同時に他の差込口に差込むための支持プラグ、１６はＡＣアダプタを電源器具に強固に固定するためにＡＣアダプタに対して押し込む固定具である。
【００５５】
図５において、２０は固定具１６と連動し、支持プラグ１５の内側に挿入されて支持プラグを押し広げる差込部材である。
【００５６】
支持プラグ１５は、金属で構成され根元でＡＣアダプタの内部回路と絶縁されているため電流は流れない。また、支持プラグ１５は金属板に曲げ加工を施して略Ｕ字状又は略凹状に形成されており、図５に示すように支持プラグ１５の根元部分を構成する金属板の一端である固定端１５ａは、絶縁体であるＡＢＳ樹脂で構成された筐体１８に埋め込まれて固定されている。支持プラグ１５の根元部分を構成する金属板のもう一端である自由端１５ｂは、その先端部に向かうに従って固定端１５ａとの間隔が大きくなるように傾斜した傾斜部を有しており、差込部材２０が支持プラグ１５の内側に導入されやすいようになっている。また、この側の端は筐体１８には埋め込まれておらず、支持プラグ１５の内側に差込部材２０が挿入されたときに支持プラグが押し広げられやすいようになっている。
【００５７】
なお、支持プラグ１５が押し広げられやすいような構造を保ち、支持プラグ１５の根元部分を構成する金属板の両端を筐体１８に埋め込んで構成することも同様に実施可能であり、支持プラグ１５の強度を増すことができる。
【００５８】
固定具１６が持ち上がった状態では、差込部材２０の先端が固定端１５ａ側が固定されている根元よりもいくぶん支持プラグ１５の刃先側へ入り込んでいる。固定具１６をＡＣアダプタに対して押し込むと、差込部材２０が支持プラグ１５の内側に挿入される。差込部材２０は、差込プラグ１よりも薄く、かつ長い金属板で構成されており、支持プラグ１５に挿入される側の端部は、挿入しやすいよう面取りを施され、その反対側の端部は、固定具１６に埋め込まれて固定されている。
【００５９】
固定具１６は絶縁体であるＡＢＳ樹脂で構成され、差込部材２０が固定されている側の反対側には、常に外へ突出したつまみ部１６ａが設けられており、このつまみ部１６ａには凹凸があり、固定具１６がＡＣアダプタに対して押し込まれた状態のときにも、つまみやすいようになっている。
【００６０】
また固定具１６は、差込部材２０が支持プラグ１５の最も奥に達する前の位置と、差込部材２０が支持プラグ１５の固定端側が固定されている根元より完全に抜けきる前の位置との間で移動が規制され、ＡＣアダプタ内に入り込み過ぎたり、ＡＣアダプタから外れたりしないようになっている。
【００６１】
曲げ加工により形成されている支持プラグ１５の内壁同士は、接触しているか、その間隔が差込部材２０の厚みよりも狭くなっている。差込口に支持プラグ１５を差込んだ状態で支持プラグ１５の内側に差込部材２０を挿入することにより支持プラグ１５は押し広げられる。支持プラグ１５を構成する金属板二枚分の厚みと差込部材２０の厚みの合計は差込口の長方形の口の短辺の長さを超えないが、差込部材２０により押し広げられた状態での支持プラグ１５の厚みは差込口の長方形の口の短辺の長さを超えるように構成する。但し、支持プラグ１５が差込口に差し込まれた状態で、差込部材２０により押し広げられた場合、支持プラグ１５の厚みは差込口の長方形の口の短辺の長さを超えず、差込口の短辺の長さ方向に圧力がかかることになる。
【００６２】
この構造により支持プラグ１５を差込口に差込んだ状態で、図５（ｂ）に示すように固定具１６をＡＣアダプタに対して押し込むと、支持プラグ１５は押し広げられる。これにより支持プラグ１５は差込まれた差込口の内側に押し付けられ、支持力が強化される。また、差込部材２０は支持プラグ１５の内壁により圧迫され支持プラグ１５に入り込んだ状態を保持する。
【００６３】
一方、支持プラグ１５を差込口に差込んだ状態で、図５（ａ）に示すように固定具１６をＡＣアダプタに対して持ち上げると、支持プラグ１５は内側に入っていた差込部材２０が抜け、元の形状に戻る。これにより支持プラグ１５による支持力が弱くなり、ＡＣアダプタを容易にはずすことができる。
【００６４】
図５において、１９はばねであり、一端が筐体１８に、他端が固定具１６に固定され、常に固定具１６を、ＡＣアダプタのサービスコンセント６がある面の方へ押し出す向きに付勢している。これにより、固定具１６をＡＣアダプタから持ち上げるときは、軽い力で持ち上げることができる。
【００６５】
以上の構成により、本実施の形態２のＡＣアダプタは、差込プラグ１を差込口に差込むと同時に支持プラグ１５を他の差込口に差込むことができるので、電源器具から脱落しにくく、また、固定具１６を押し込むことでさらに支持力が強化される。
【００６６】
従って、特にＡＣアダプタのサービスコンセント６に接続した機器のプラグを引き抜く際に、ＡＣアダプタごと電源器具から抜けてしまうことを防ぐことができる。
【００６７】
なお、以上の説明では、支持プラグ１５と差込部材２０を金属で構成したが、これらを絶縁性樹脂で構成することについても同様に実施可能である。
【００６８】
（実施の形態３）
図６、図７、図８は、本発明の実施の形態３によるＡＣアダプタを示す。図６は本発明の実施の形態３によるＡＣアダプタの斜視図、図７は本発明の実施の形態３によるＡＣアダプタの左側面図、図８（ａ）は本発明の実施の形態３によるＡＣアダプタの平面図、図８（ｂ）は同実施の形態３によるＡＣアダプタの下面図である。
【００６９】
図６、図７に示すように、このＡＣアダプタの内部は、スライダを有する支持プラグの機構を除いて本発明の実施の形態１に記載のものと同じである。図７、図８において、１５は差込口に差込む差込プラグ１の隣に、差込プラグ１の一対の金属刃と平行で、この刃に対して所定の距離だけ離れた位置に立設され、差込プラグ１が差込口に差込まれるのと同時に他の差込口に差込むための支持プラグである。支持プラグ１５は絶縁性樹脂で構成され電流は流れない。特に強度と滑り性を考え、芯材にカーボン樹脂、表面にフッ素系樹脂を用いる。
【００７０】
本実施の形態３のＡＣアダプタはスライド機構を備えている。１７は差込プラグ１と支持プラグ１５の間隔を変える作用を行うスライダである。スライダ１７にはつまみやすいように周期的な凹凸が設けられている。スライダ１７と筐体１８はＡＢＳ樹脂で構成する。支持プラグ１５の一対の刃は筐体１８のスリット状開口部から突出しており、筐体１８の内側でスライダ１７に埋め込まれて固定され、差込プラグ１の一対の刃と平行に設置されているため、図７に示すＡＣアダプタの左右側面にあるスライダ１７を動かすことにより手動でスライドさせることができる。これにより差込プラグ１と支持プラグ１５の間隔を変えることが可能となり、差込口同士の間隔が異なる様々な電源器具に、本発明のＡＣアダプタを差込んで用いることができる。
【００７１】
なお、一般的な電源器具を考え、スライダ１７で動かした場合の差込プラグ１と支持プラグ１５の間隔は、２０ｍｍから５０ｍｍの間の値をとる。
【００７２】
この構成により、差込口同士の間隔が異なる様々な電源器具に対しても、差込プラグ１を差込口に差込むと同時に支持プラグ１５を他の差込口に差込むことができるようになり、ＡＣアダプタは電源器具から脱落しにくくなる。
【００７３】
【発明の効果】
以上のように本発明によれば、ＡＣアダプタが大きい場合に、差込プラグを差込まない差込口までもがＡＣアダプタによって塞がれてしまうという欠点を、ＡＣアダプタ上に新たにコンセントを設けることによって補うことができる。しかもＡＣアダプタにスイッチを設けて、このサービスコンセントに接続した機器への電力の供給と遮断を行い、未使用時の電力供給を遮断して待機電力消費を無くし省エネ効果を得ることができる。
【００７４】
また、ＡＣアダプタに設けたスイッチで、サービスコンセントとＡＣ／ＤＣ変換回路への電力の供給を切り換え可能にしたことにより、サービスコンセントに接続された負荷だけでなく、ＡＣアダプタに備わったＡＣ／ＤＣ変換回路への電力も供給又は遮断することができる。これによりサービスコンセントだけでなくＤＣ出力に接続された負荷の待機電力も無くし省エネ効果を得ることができる。
【００７５】
また、ＡＣアダプタに設けるスイッチとしてロータリースイッチを用いたことにより、きわめて簡単な動作でサービスコンセントに接続された負荷やＡＣ／ＤＣ変換回路への電力を任意に供給又は遮断することができる。
【００７６】
また、ＡＣアダプタに電圧測定の機能を設けることにより、一般の電圧計を接続しなくとも電源電圧値や出力電圧値を測定することができる。
【００７７】
また、ＡＣアダプタの定格電圧と、ＤＣ出力部やサービスコンセントが無負荷の場合の電圧値を表示部に表示させる制御部を備けることにより、電源電圧値や出力電圧値が正常であるかどうかを確認することができる。
【００７８】
また、支持プラグをＡＣアダプタに設け、差込プラグを差込口に差込むと同時に、支持プラグをＡＣアダプタが塞いでしまった差込口に差込むことで、ＡＣアダプタを電源器具から脱落しにくくすることができる。
【００７９】
また、差込プラグを差込んだ他の差込口に支持プラグを差込んだ状態で、略Ｕ字状の支持プラグの内側に差込部材を押し込むと、支持プラグは差込部材によって差込口内で押し広げられるので、ＡＣアダプタを電源器具に強固に固定することができる。
【００８０】
また、差込プラグと支持プラグとの間隔を可変にすることで、差込口同士の間隔が異なる様々な電源器具に対してＡＣアダプタを差込むことができる。
【図面の簡単な説明】
【図１】本発明の実施の形態１によるＡＣアダプタを示すブロック図
【図２】本発明の実施の形態１によるＡＣアダプタの斜視図
【図３】本発明の実施の形態２によるＡＣアダプタの斜視図
【図４】本発明の実施の形態２によるＡＣアダプタの左側面図
【図５】（ａ）本発明の実施の形態２によるＡＣアダプタの固定具が上がった状態の断面図
（ｂ）同実施の形態２によるＡＣアダプタの固定具が下がった状態の断面図
【図６】本発明の実施の形態３によるＡＣアダプタの斜視図
【図７】本発明の実施の形態３によるＡＣアダプタの左側面図
【図８】（ａ）本発明の実施の形態３によるＡＣアダプタの平面図
（ｂ）同実施の形態３によるＡＣアダプタの下面図
【符号の説明】
１  差込プラグ
２  フィルタ部
３  スイッチ部
４  ＡＣ／ＤＣ変換回路
５  ＤＣ出力部
６  サービスコンセント
７  電圧測定回路
８  可動接触子
９  可動接触子
１１  ２回路４接点スイッチのダイヤル
１２  制御部
１３  表示部
１４  電池電源部
１５  支持プラグ
１５ａ  固定端
１５ｂ  自由端
１６  固定具
１６ａ  つまみ部
１７  スライダ
１８  筐体
１９  ばね
２０  差込部材
２１  表示切替ボタン
【図１】
2004186019.tif 000003
【図２】
2004186019.tif 000004
【図３】
2004186019.tif 000005
【図４】
2004186019.tif 000006
【図５】
2004186019.tif 000007
【図６】
2004186019.tif 000008
【図７】
2004186019.tif 000009
【図８】
2004186019.tif 000010